(57)【要約】【課題】簡単な構造でアンテナの小型化、広帯域化およびマルチバンド化を図ること。【解決手段】回路基板１０１上に、給電部１０２、第１アンテナ素子１０３、第１フィルタ回路１０４、短絡素子１０５を備える。第１の周波数では、第１アンテナ素子１０３、フィルタ回路１０４および短絡素子１０５が放射素子となり、第２の周波数では、第１アンテナ素子１０３が放射素子として動作する。【選択図】図１
2013110462.tif 000002
【特許請求の範囲】
【請求項１】
回路基板に接続される給電部と、
前記給電部に接続される第１アンテナ素子と、
前記第１アンテナ素子に接続される第１フィルタ回路と、
前記第１フィルタ回路および前記回路基板に接続される短絡素子と、を備え、
第１の周波数帯では前記第１アンテナ素子、前記第１フィルタ回路および前記短絡素子が放射素子として動作し、
第２の周波数帯では前記第１アンテナ素子が放射素子として動作することを特徴とするアンテナ装置。
【請求項２】
回路基板に接続される給電部と、
前記給電部に接続される第１アンテナ素子と、
前記第１アンテナ素子に接続される短絡素子と、
前記短絡素子および前記回路基板に接続される第１フィルタ回路と、を備え、
第１の周波数帯では前記第１アンテナ素子、前記短絡素子および前記第１フィルタ回路が放射素子として動作し、
第２の周波数帯では前記第１アンテナ素子および前記短絡素子が放射素子として動作することを特徴とするアンテナ装置。
【請求項３】
請求項１または請求項２に記載のアンテナ装置であって、
第１無給電素子をさらに備え、
第３の周波数帯では、前記第１無給電素子が放射素子として動作することを特徴とするアンテナ装置。
【請求項４】
請求項１または請求項２に記載のアンテナ装置であって、
前記短絡素子に接続される第３フィルタ回路と、
前記第３フィルタ回路に接続される第２無給電素子と、を備え、
第３の周波数帯では、前記短絡素子、前記第３フィルタ回路および前記第２無給電素子が放射素子として動作することを特徴とするアンテナ装置。
【請求項５】
請求項１から請求項４のいずれか一項に記載のアンテナ装置であって、
前記第１アンテナ素子に接続される第４フィルタ回路と、
前記第４フィルタ回路に接続される第２アンテナ素子と、を備え、
第４の周波数帯では、前記第１アンテナ素子、前記第４フィルタ回路および前記第２アンテナ素子が放射素子として動作することを特徴とするアンテナ装置。
【請求項６】
請求項１から請求項４のいずれか一項に記載のアンテナ装置であって、
前記第１アンテナ素子に接続される第４フィルタ回路と、
前記第４フィルタ回路に接続される第２アンテナ素子と、を備え、
第４の周波数帯では、前記第１アンテナ素子、前記短絡素子、前記第４フィルタ回路および前記第２アンテナ素子が放射素子として動作することを特徴とするアンテナ装置。
【請求項７】
請求項１から請求項４のいずれか一項に記載のアンテナ装置であって、
前記第１アンテナ素子に接続される第３アンテナ素子と、
前記第３アンテナ素子に接続される第２アンテナ素子と、を備え、
第４の周波数帯では、前記第１アンテナ素子、前記第３アンテナ素子および前記第２アンテナ素子が放射素子として動作することを特徴とするアンテナ装置。
【請求項８】
請求項１から請求項４のいずれか一項に記載のアンテナ装置であって、
前記第１アンテナ素子に接続される第３アンテナ素子と、
前記第３アンテナ素子に接続される第２アンテナ素子と、を備え、
第４の周波数帯では、前記第１アンテナ素子、前記短絡素子、前記第３アンテナ素子および前記第２アンテナ素子が放射素子として動作することを特徴とするアンテナ装置。
【請求項９】
請求項５から請求項８のいずれか一項に記載のアンテナ装置であって、
前記第１アンテナ素子には空芯コイルまたはプリントコイルが接続され、
第４の周波数帯では、前記第１アンテナ素子と空芯コイルまたはプリントコイルが放射素子として動作することを特徴とするアンテナ装置。
【請求項１０】
請求項３から請求項９のいずれか一項に記載のアンテナ装置であって、
前記第１無給電素子に接続される第５フィルタ回路と、
前記第５フィルタ回路に接続される第３無給電素子をさらに備え、
第５の周波数帯では、前記第１無給電素子、前記第５フィルタ回路および前記第３無給電素子が放射素子として動作することを特徴とするアンテナ装置。
【発明の詳細な説明】
【技術分野】
【０００１】
本発明は、アンテナ装置に関し、例えば、携帯型無線端末に適用して好適なものである。
【背景技術】
【０００２】
今後の移動通信システムの動向として、より快適な通信環境を実現するために、使用する周波数帯の拡張または追加、更には新規通信サービスの提供が挙げられる。これに伴い、携帯型無線端末用アンテナは大型化または新規アンテナの追加を必要とする傾向にある。
【０００３】
しかしながら、近年では、携帯型無線端末等の通信装置は普及の一途をたどり、モバイル性、デザイン性等の観点から通信装置の更なる小型化が要望されている。このため、アンテナにおいても小型化の実現が必要となる。一般にアンテナの小型化は、放射効率の低下や狭帯域化を招くことが知られている。
【０００４】
従来、アンテナのマルチバンド化または小型化技術として、特許文献１から特許文献３に開示されたものがある。以下、この特許文献１から特許文献３に開示された内容について説明する。
【０００５】
特許文献１のアンテナ装置は、複数のアンテナエレメントから構成され、各アンテナエレメント長は異なる周波数に共振する長さに調整されている。
【０００６】
このように特許文献１のアンテナ装置は、各アンテナエレメントのエレメント長を異なる周波数に共振する長さとすることにより、マルチバンド化を図っている。
【０００７】
特許文献２のアンテナ装置は、逆Ｆ形アンテナであって、逆Ｆ形アンテナの放射素子部は、整合用ショートスタブを有する第１の放射素子部と、この第１の放射素子部に対しスリットによって直流的に分離され、かつ、結合用コンデンサを介して交流的に結合された第２の放射素子部によって構成されている。第２の放射素子部のスリット側は、スイッチング素子であるＰＩＮダイオードを介してグランド板に接続されている。また、第２の放射素子部は給電点を有している。
【０００８】
本構成において、制御電圧がＰＩＮダイオードに印加されると、逆Ｆ形アンテナを構成する第２の放射素子部のスリット部分の端面が短絡された形となり、アンテナは高い周波数で共振する。次に制御電圧が印加されないと、逆Ｆ形アンテナを構成する第２の放射素子部と第１の放射素子部は結合用コンデンサで結合された形となり、低い周波数で共振する。
【０００９】
このように、特許文献２のアンテナ装置は、制御電圧によって整合用ショートスタブの位置を切り替えることにより、共振周波数の切り替えを行い、マルチバンド化を図っている。
【００１０】
特許文献３のアンテナ装置は、給電点が設けられた放射導体の一端にショートピンを接続した逆Ｆ形アンテナであって、放射導体の他端側に並列共振回路が介挿され、放射導体の一端側の給電点とショートピンとの間の位置でグランド板との間に直列共振回路が介挿され、並列共振回路は高い周波数でインピーダンスが最大となり、直列共振回路は高い周波数でインピーダンスが最小となるように構成されている。
【００１１】
本構成において、低い周波数では、並列共振回路を含む放射導体と、放射導体に接続されたショートピンから構成される逆Ｆ形アンテナとして動作する。一方、高い周波数では、並列回路の手前までの放射導体と、放射導体とグランド板との間に介挿された直列共振回路によって構成される逆Ｆ形アンテナとして動作する。
【００１２】
このように、特許文献３のアンテナ装置は、並列共振回路および直列共振回路の装荷によりマルチバンド化を図っている。
【先行技術文献】
【特許文献】
【００１３】
【特許文献１】特開２００７-１２３９８２号公報
【特許文献２】特開平９−３２６６３３号公報
【特許文献３】特開平１１−２５１８２５号公報
【発明の概要】
【発明が解決しようとする課題】
【００１４】
しかしながら、特許文献１のアンテナ装置は、各共振周波数に応じた複数のアンテナエレメントを用いるため、小型化が困難である。
【００１５】
特許文献２のアンテナ装置は、切替制御部を設けて共振周波数の切り替えを行うため、部品点数が増加し、小型化が困難である。切り替えによりアンテナ装置を含む通信装置全体の消費電流の増加を招くという問題もある。また、共振する各周波数帯において、アンテナは、逆Ｆ形アンテナ動作となるため、共振する周波数帯域が狭帯域になるという問題がある。
【００１６】
特許文献３のアンテナ装置は、共振する各周波数帯において、アンテナは、逆Ｆ形アンテナ動作となるため、共振する周波数帯域が狭帯域になるという問題がある。
【００１７】
本発明は、かかる点に鑑みてなされたもので、モノポールアンテナと短絡素子と共にフィルタ回路を用いることにより小型化、マルチバンド化および広帯域化を実現するアンテナ装置を提供することを目的とする。
【課題を解決するための手段】
【００１８】
本発明のアンテナ装置は、回路基板に接続される給電部と、前記給電部に接続される第１アンテナ素子と、前記第１アンテナ素子に接続される第１フィルタ回路と、前記第１フィルタ回路および前記回路基板に接続される短絡素子と、を備え、第１の周波数帯では前記第１アンテナ素子、前記第１フィルタ回路および前記短絡素子が放射素子として動作し、第２の周波数帯では前記第１アンテナ素子が放射素子として動作することを特徴とする。
【００１９】
本発明のアンテナ装置は、回路基板に接続される給電部と、前記給電部に接続される第１アンテナ素子と、前記第１アンテナ素子に接続される短絡素子と、前記短絡素子および前記回路基板に接続される第１フィルタ回路と、を備え、第１の周波数帯では前記第１アンテナ素子、前記短絡素子および前記第１フィルタ回路が放射素子として動作し、第２の周波数帯では前記第１アンテナ素子および前記短絡素子が放射素子として動作することを特徴とする。
【００２０】
上記構成において、第１無給電素子をさらに備え、第３の周波数帯では、前記第１無給電素子が放射素子として動作することを特徴とする。
【００２１】
上記構成において、前記短絡素子に接続される第３フィルタ回路と、前記第３フィルタ回路に接続される第２無給電素子と、を備え、第３の周波数帯では、前記短絡素子、前記第３フィルタ回路および前記第２無給電素子が放射素子として動作することを特徴とする。
【００２２】
上記構成において、前記第１アンテナ素子に接続される第４フィルタ回路と、前記第４フィルタ回路に接続される第２アンテナ素子と、を備え、第４の周波数帯では、前記第１アンテナ素子、前記第４フィルタ回路および前記第２アンテナ素子が放射素子として動作することを特徴とする。
【００２３】
上記構成において、前記第１アンテナ素子に接続される第４フィルタ回路と、前記第４フィルタ回路に接続される第２アンテナ素子と、を備え、第４の周波数帯では、前記第１アンテナ素子、前記短絡素子、前記第４フィルタ回路および前記第２アンテナ素子が放射素子として動作することを特徴とする。
【００２４】
上記構成において、前記第１アンテナ素子に接続される第３アンテナ素子と、前記第３アンテナ素子に接続される第２アンテナ素子と、を備え、第４の周波数帯では、前記第１アンテナ素子、前記第３アンテナ素子および前記第２アンテナ素子が放射素子として動作することを特徴とする。
【００２５】
上記構成において、前記第１アンテナ素子に接続される第３アンテナ素子と、前記第３アンテナ素子に接続される第２アンテナ素子と、を備え、第４の周波数帯では、前記第１アンテナ素子、前記短絡素子、前記第３アンテナ素子および前記第２アンテナ素子が放射素子として動作することを特徴とする。
【００２６】
上記構成において、前記第１アンテナ素子には空芯コイルまたはプリントコイルが接続され、第４の周波数帯では、前記第１アンテナ素子と空芯コイルまたはプリントコイルが放射素子として動作することを特徴とする。
【００２７】
上記構成において、前記第１無給電素子に接続される第５フィルタ回路と、前記第５フィルタ回路に接続される第３無給電素子をさらに備え、第５の周波数帯では、前記第１無給電素子、前記第５フィルタ回路および前記第３無給電素子が放射素子として動作することを特徴とする。
【発明の効果】
【００２８】
本発明によれば、簡単な構造でアンテナの小型化、広帯域化およびマルチバンド化を実現することができる。
【図面の簡単な説明】
【００２９】
【図１】本発明実施の形態１に係るアンテナ装置の構成を示す概略斜視図
【図２】本発明実施の形態１に係るアンテナ装置の一例を示す概略斜視図
【図３】本発明実施の形態１に係るアンテナ装置のインピーダンス特性の一例を示す図
【図４】本発明実施の形態２に係るアンテナ装置の構成を示す概略斜視図
【図５】本発明実施の形態３に係るアンテナ装置の構成を示す概略斜視図
【図６】本発明実施の形態４に係るアンテナ装置の構成を示す概略斜視図
【図７】本発明実施の形態５に係るアンテナ装置の構成を示す概略斜視図
【図８】本発明実施の形態６に係るアンテナ装置の構成を示す概略斜視図
【図９】本発明実施の形態７に係るアンテナ装置の構成を示す概略斜視図
【図１０】本発明実施の形態７に係るアンテナ装置の一例を示す概略斜視図
【図１１】本発明実施の形態７に係るアンテナ装置のインピーダンス特性の一例を示す図
【図１２】本発明実施の形態８に係るアンテナ装置の構成を示す概略斜視図
【図１３】本発明実施の形態９に係るアンテナ装置の構成を示す概略斜視図
【図１４】本発明実施の形態１０に係るアンテナ装置の構成を示す概略斜視図
【図１５】本発明実施の形態１１に係るアンテナ装置の構成を示す概略斜視図
【図１６】本発明実施の形態１２に係るアンテナ装置の構成を示す概略斜視図
【図１７】本発明実施の形態１３に係るアンテナ装置の構成を示す概略斜視図
【発明を実施するための形態】
【００３０】
以下、本発明の実施の形態について、図面を参照して詳細に説明する。なお、各図において同一の構成または機能を有する構成要素および相当部分には、同一の符号を付してその説明は繰り返さない。
【００３１】
（実施の形態１）
図１は、本発明実施の形態１に係るアンテナ装置の構成を示す概略斜視図である。図１に示すように、本実施の形態１に係るアンテナ装置１００は、回路基板１０１、給電部１０２、第１アンテナ素子１０３、第１フィルタ回路１０４、短絡素子１０５を備えている。
【００３２】
図１において、回路基板１０１の網掛け部分は、アンテナ装置１００のグランドであり、この網掛け部分には図示しない無線回路等が実装される。給電部１０２は、回路基板１０１に接続される。第１アンテナ素子１０３は、給電部１０２に接続される。第１フィルタ回路１０４は、第１アンテナ素子１０３に接続される。短絡素子１０５は、第１フィルタ回路１０４および回路基板１０１のグランドに接続される。
【００３３】
第１アンテナ素子１０３は、回路基板１０１と垂直方向に配置される垂直部１０３ａと水平方向で上面部に配置される水平部１０３ｂとにより一体に構成され、断面Ｌ字型に形成されている。ここで、垂直方向に配置される垂直部１０３ａと水平方向で上面部に配置される水平部１０３ｂは、必ずしも必要ではなく、どちらか一方の配置でもよい。また、回路基板１０１と水平方向で下面部に新たな素子部を設け、垂直方向に配置される垂直部１０３ａと水平方向で上面部に配置される水平部１０３ｂと共に一体に構成され、断面コの字型に形成されてもよい。いずれにしても、第１アンテナ素子１０３が外側に配置されているか、図示しない他部品等の金属物からの影響を低減されるような配置位置であれば、その構成は問わない。
【００３４】
短絡素子１０５は、回路基板１０１と垂直方向に配置される垂直部１０５ａと水平方向で上面部に配置される水平部１０５ｂとにより一体に構成され、断面Ｌ字型に形成されている。ここで、垂直方向に配置される垂直部１０５ａと水平方向で上面部に配置される水平部１０５ｂは、必ずしも必要ではなく、どちらか一方の配置でもよい。また、回路基板１０１と水平方向で下面部に新たな素子部を設け、垂直方向に配置される垂直部１０５ａと水平方向で上面部に配置される水平部１０５ｂと共に一体に構成され、断面コの字型に形成されてもよい。いずれにしても、短絡素子１０５が外側に配置されているか、図示しない他部品等の金属物からの影響を低減されるような配置位置であれば、その構成は問わない。
【００３５】
次に、本実施の形態１に係るアンテナ装置の周波数ｆ１および周波数ｆ２における動作について説明する。ここで、周波数ｆ１と周波数ｆ２は、周波数ｆ１＜周波数ｆ２の関係にあり、第１フィルタ回路１０４は、周波数ｆ１の電流を通過させ、周波数ｆ２の電流を遮断させる並列共振回路、直列共振回路、またはバンドパスフィルタ等から構成される。
【００３６】
このアンテナ装置１００において、低周波数帯である周波数ｆ１では、給電部１０２から第１アンテナ素子１０３に給電される。短絡素子１０５は、第１フィルタ回路１０４を介して第１アンテナ素子１０３と電気的に接続され、回路基板１０１に短絡される。このように、低周波数帯である周波数ｆ１においては、逆Ｆ形アンテナとして動作する。高周波数帯である周波数ｆ２では、給電部１０２から第１アンテナ素子１０３に給電される。短絡素子１０５は、第１フィルタ回路１０４によって周波数ｆ２の電流が遮断されるため、第１アンテナ素子１０３と電気的に接続されない。このように、高周波数帯である周波数ｆ２においては、逆Ｌ形アンテナまたはモノポールアンテナとして動作する。
【００３７】
このようにアンテナ装置１００は、周波数ｆ１および周波数ｆ２において、第１アンテナ素子１０３を兼用することにより小型化を図っている。また、第１フィルタ回路１０４を設けることにより、各アンテナ間のアイソレーション特性の確保を行い、マルチバンド化を図っている。
【００３８】
図２に一例として、回路基板１０１のグランド部の長手方向の長さＬ２１を１２０ｍｍ、短手方向の長さＷ２１を６０ｍｍ、回路基板１０１のグランド部と短絡素子１０５の垂直部１０５ａおよび第１アンテナ素子１０３の垂直部１０３ａとの距離Ｄ２１を５ｍｍ、回路基板１０１の端部と短絡素子１０５との距離Ｄ２２を５ｍｍ、短絡素子１０５の垂直部１０５ａの長さＬ２２を２ｍｍ、短絡素子１０５と第１アンテナ素子１０３との距離Ｄ２３を１ｍｍ、第１アンテナ素子１０３の長さＬ２３を２１．５ｍｍ、第１アンテナ素子１０３の垂直部１０３ａおよび短絡素子１０５の垂直部１０５ａの長さＷ２２を５ｍｍ、第１アンテナ素子１０３の水平部１０３ｂおよび短絡素子１０５の水平部１０５ｂの長さＷ２３を２ｍｍとしたアンテナ装置２００を示す。
【００３９】
図３に、アンテナ装置２００のインピーダンス特性３００を示す。ここで、周波数ｆ１は１．５ＧＨｚ帯、周波数ｆ２は２ＧＨｚ帯でチューニングしている。
【００４０】
一般に、逆Ｌ形アンテナは高さを低くすると、すなわちグランドが近接すると、放射抵抗分が小さくなるため、整合取得が困難となる。逆Ｆ形アンテナは、この逆Ｌ形アンテナに短絡素子を付加したアンテナであり、低い放射抵抗を折り返しの理論により増加するため整合が取得しやすくなる。ただし、その反面、狭帯域となることも知られている。
【００４１】
アンテナ装置２００において、第１アンテナ素子１０３とグランドとの物理的寸法Ｄ２１が同一であっても、低周波数帯となる周波数ｆ１では、高周波数帯となる周波数ｆ２と比較して電気長は短くなるため、整合の取得が困難となる。このため、周波数ｆ１では短絡素子１０５を用いて整合を取得している。すなわち、逆Ｆ形アンテナとして動作させている。これに対して、高周波数帯となる周波数ｆ２では、逆Ｌ形アンテナとして動作させており、周波数ｆ１で用いている逆Ｆ形アンテナと比較して広帯域となる。
【００４２】
インピーダンス特性３００において、周波数ｆ１はＧＰＳ帯（１５７５．４２ＭＨｚ）、周波数ｆ２はＷＬＡＮ帯（２４００ＭＨｚ〜２４８３ＭＨｚ）をカバーしている。このため、アンテナ装置２００は、ＧＰＳアンテナおよびＷＬＡＮアンテナとして動作させることが可能である。
【００４３】
一例として、ＧＰＳ帯およびＷＬＡＮ帯向けアンテナのマルチバンド化を挙げたが、他の通信システム向けアンテナのマルチバンド化においても、同様に、その周波数および周波数帯域を考慮して各パラメータを決定すれば適用可能である。携帯型無線端末のセルラーアンテナとして適用する場合は、通話時に人体頭部から離れた位置となる端末下端にアンテナを配置すると、ＳＡＲ（比吸収率：Ｓｐｅｃｉｆｉｃ  Ａｂｓｏｒｐｔｉｏｎ  Ｒａｔｅ）が低減されるために効果的である。
【００４４】
上述のように、本実施の形態１に係るアンテナ装置１００によれば、小型化、広帯域化およびマルチバンド化を実現するアンテナ装置を提供することができる。
【００４５】
（実施の形態２）
図４は、本発明実施の形態２に係るアンテナ装置の構成を示す概略斜視図である。本発明実施の形態２は、既に説明した本発明実施の形態１におけるフィルタ回路の配置位置を素子上から回路基板上へ変更した点に特徴がある。
【００４６】
図４に示すように、本実施の形態２に係るアンテナ装置４００は、回路基板１０１、給電部１０２、第１アンテナ素子１０３、第１フィルタ回路１０４、短絡素子１０５を備えている。
【００４７】
図４において、回路基板１０１の網掛け部分は、アンテナ装置４００のグランドであり、この網掛け部分には図示しない無線回路等が実装される。給電部１０２は、回路基板１０１に接続される。第１アンテナ素子１０３は、給電部１０２に接続される。短絡素子１０５は、第１アンテナ素子１０３に接続される。第１フィルタ回路１０４は、短絡素子１０５および回路基板１０１のグランドに接続される。
【００４８】
次に、本実施の形態２に係るアンテナ装置の周波数ｆ１および周波数ｆ２における動作について説明する。ここで、周波数ｆ１と周波数ｆ２は、周波数ｆ１＜周波数ｆ２の関係にあり、第１フィルタ回路１０４は、周波数ｆ１の電流を通過させ、周波数ｆ２の電流を遮断させる並列共振回路、直列共振回路、またはバンドパスフィルタ等から構成される。
【００４９】
このアンテナ装置４００において、低周波数帯である周波数ｆ１では、給電部１０２から第１アンテナ素子１０３および短絡素子１０５に給電される。短絡素子１０５は、第１フィルタ回路１０４を介して回路基板１０１と電気的に接続される。このように、低周波数帯である周波数ｆ１においては、逆Ｆ形アンテナとして動作する。高周波数帯である周波数ｆ２では、給電部１０２から第１アンテナ素子１０３および短絡素子１０５に給電される。短絡素子１０５は、第１フィルタ回路１０４によって周波数ｆ２の電流が遮断されるため、回路基板１０１と電気的に接続されない。このように、高周波数帯となる周波数ｆ２においては、変形されたモノポールアンテナとして動作する。
【００５０】
このようにアンテナ装置４００は、周波数ｆ１および周波数ｆ２において、第１アンテナ素子１０３および短絡素子１０５を兼用することにより小型化を図っている。また、第１フィルタ回路１０４を設けることにより、各アンテナ間のアイソレーション特性の確保を行い、マルチバンド化を図っている。
【００５１】
また、第１フィルタ回路１０４は、第１アンテナ素子１０３と短絡素子１０５との間の素子上から回路基板１０１上に配置位置を変更することにより、アンテナ装置４００の低背化および低コスト化を図っている。
【００５２】
上述のように、本実施の形態２に係るアンテナ装置４００によれば、小型化、広帯域化およびマルチバンド化を実現するアンテナ装置を提供することができる。
【００５３】
（実施の形態３）
図５は、本発明実施の形態３に係るアンテナ装置の構成を示す概略斜視図である。本発明実施の形態３は、既に説明した本発明実施の形態１または実施の形態２におけるアンテナ装置に無給電素子を追加した点に特徴がある。
【００５４】
図５に示すように、本実施の形態３に係るアンテナ装置５００は、回路基板１０１、給電部１０２、第１アンテナ素子１０３、第１フィルタ回路１０４、短絡素子１０５、第１無給電素子５０１を備えている。
【００５５】
図５において、回路基板１０１の網掛け部分は、アンテナ装置５００のグランドであり、この網掛け部分には図示しない無線回路等が実装される。給電部１０２は、回路基板１０１に接続される。第１アンテナ素子１０３は、給電部１０２に接続される。第１フィルタ回路１０４は、第１アンテナ素子１０３に接続される。短絡素子１０５は、第１フィルタ回路１０４および回路基板１０１のグランドに接続される。第１無給電素子５０１は、片側が回路基板１０１のグランドに接続される。
【００５６】
第１無給電素子５０１は、回路基板１０１と垂直方向に配置される垂直部５０１ａと水平方向で上面部に配置される水平部５０１ｂとにより一体に構成され、上面部に配置される水平部５０１ｂは上面視Ｌ字型に形成されている。
【００５７】
次に、本実施の形態３に係るアンテナ装置の周波数ｆ１、周波数ｆ２および周波数ｆ３における動作について説明する。ここで、周波数ｆ１と周波数ｆ２は、周波数ｆ１＜周波数ｆ２の関係にあり、第１フィルタ回路１０４は、周波数ｆ１の電流を通過させ、周波数ｆ２の電流を遮断させる並列共振回路、直列共振回路、またはバンドパスフィルタ等から構成される。周波数ｆ３は、任意の周波数とする。
【００５８】
このアンテナ装置５００において、低周波数帯である周波数ｆ１では、給電部１０２から第１アンテナ素子１０３に給電される。短絡素子１０５は、第１フィルタ回路１０４を介して第１アンテナ素子１０３と電気的に接続され、回路基板１０１に短絡される。このように、低周波数帯である周波数ｆ１においては、逆Ｆ形アンテナとして動作する。高周波数帯である周波数ｆ２では、給電部１０２から第１アンテナ素子１０３に給電される。短絡素子１０５は、第１フィルタ回路１０４によって周波数ｆ２の電流が遮断されるため、第１アンテナ素子１０３と電気的に接続されない。このように、高周波数帯である周波数ｆ２においては、逆Ｌ形アンテナまたはモノポールアンテナとして動作する。周波数ｆ３では、第１無給電素子５０１の共振周波数を適用する。第１無給電素子５０１は、片側が回路基板１０１に短絡されており、この第１無給電素子５０１の素子長に応じた電流が第１無給電素子５０１に誘起される。このように、周波数ｆ３においては、片側が短絡された無給電素子が放射素子として動作する。
【００５９】
なお、上記第１無給電素子５０１は一例であり、無給電素子に所望の周波数の電流が誘起され、アンテナ特性の向上を図ることが可能であれば、その形状、サイズ、給電素子との間隔、配置位置および回路基板への短絡の有無は問わない。
【００６０】
このようにアンテナ装置５００は、周波数ｆ１および周波数ｆ２において、第１アンテナ素子１０３を兼用することにより小型化を図っている。また、第１フィルタ回路１０４を設けることにより、各アンテナ間のアイソレーション特性の確保を行い、マルチバンド化を図っている。周波数ｆ３においては、無給電素子を設けることにより対応している。
【００６１】
上述のように、本実施の形態３に係るアンテナ装置５００によれば、小型化、広帯域化およびマルチバンド化を実現するアンテナ装置を提供することができる。
【００６２】
（実施の形態４）
図６は、本発明実施の形態４に係るアンテナ装置の構成を示す概略斜視図である。本発明実施の形態４は、既に説明した本発明実施の形態３における無給電素子を変形した点に特徴がある。
【００６３】
図６に示すように、本実施の形態４に係るアンテナ装置６００は、回路基板１０１、給電部１０２、第１アンテナ素子１０３、第１フィルタ回路１０４、短絡素子１０５、第１無給電素子５０１を備えている。
【００６４】
図６において、回路基板１０１の網掛け部分は、アンテナ装置６００のグランドであり、この網掛け部分には図示しない無線回路等が実装される。給電部１０２は、回路基板１０１に接続される。第１アンテナ素子１０３は、給電部１０２に接続される。第１フィルタ回路１０４は、第１アンテナ素子１０３に接続される。短絡素子１０５は、第１フィルタ回路１０４および回路基板１０１のグランドに接続される。第１無給電素子５０１は、片側が回路基板１０１のグランドに接続される。
【００６５】
第１無給電素子５０１は、回路基板１０１と垂直方向に配置される第１面部５０１ｃと第２面部５０１ｄとにより一体に構成され、断面Ｌ字型に形成し、回路基板１０１の端部を囲むように配置されている。
【００６６】
次に、本実施の形態４に係るアンテナ装置の周波数ｆ１、周波数ｆ２および周波数ｆ３における動作について説明する。ここで、周波数ｆ１と周波数ｆ２は、周波数ｆ１＜周波数ｆ２の関係にあり、第１フィルタ回路１０４は、周波数ｆ１の電流を通過させ、周波数ｆ２の電流を遮断させる並列共振回路、直列共振回路、またはバンドパスフィルタ等から構成される。周波数ｆ３は、任意の周波数とする。
【００６７】
このアンテナ装置６００において、低周波数帯である周波数ｆ１では、給電部１０２から第１アンテナ素子１０３に給電される。短絡素子１０５は、第１フィルタ回路１０４を介して第１アンテナ素子１０３と電気的に接続され、回路基板１０１に短絡される。このように、低周波数帯である周波数ｆ１においては、逆Ｆ形アンテナとして動作する。高周波数帯である周波数ｆ２では、給電部１０２から第１アンテナ素子１０３に給電される。短絡素子１０５は、第１フィルタ回路１０４によって周波数ｆ２の電流が遮断されるため、第１アンテナ素子１０３と電気的に接続されない。このように、高周波数帯である周波数ｆ２においては、逆Ｌ形アンテナまたはモノポールアンテナとして動作する。周波数ｆ３では、第１無給電素子５０１の共振周波数を適用する。第１無給電素子５０１は、片側が回路基板１０１に短絡されており、この第１無給電素子５０１の素子長に応じた電流が第１無給電素子５０１に誘起される。このように、周波数ｆ３においては、片側が短絡された無給電素子が放射素子として動作する。
【００６８】
なお、上記第１無給電素子５０１は一例であり、無給電素子に所望の周波数の電流が誘起され、アンテナ特性の向上を図ることが可能であれば、その形状、サイズ、給電素子との間隔、配置位置および回路基板への短絡の有無は問わない。
【００６９】
このようにアンテナ装置６００は、周波数ｆ１および周波数ｆ２において、第１アンテナ素子１０３を兼用することにより小型化を図っている。また、第１フィルタ回路１０４を設けることにより、各アンテナ間のアイソレーション特性の確保を行い、マルチバンド化を図っている。周波数ｆ３においては、無給電素子を設けることにより対応している。
【００７０】
上述のように、本実施の形態４に係るアンテナ装置６００によれば、小型化、広帯域化およびマルチバンド化を実現するアンテナ装置を提供することができる。
【００７１】
（実施の形態５）
図７は、本発明実施の形態５に係るアンテナ装置の構成を示す概略斜視図である。本発明実施の形態５は、既に説明した本発明実施の形態３における無給電素子を変形し、配置位置を変更した点に特徴がある。
【００７２】
図７に示すように、本実施の形態５に係るアンテナ装置７００は、回路基板１０１、給電部１０２、第１アンテナ素子１０３、第１フィルタ回路１０４、短絡素子１０５、第１無給電素子５０１を備えている。
【００７３】
第１アンテナ素子１０３は、回路基板１０１と垂直方向に配置される垂直部１０３ａと水平方向で上面部に配置される水平部１０３ｂとにより一体に構成され、断面Ｌ字型に形成されている。ここで、垂直方向に配置される垂直部１０３ａと水平方向で上面部に配置される水平部１０３ｂは、必ずしも必要ではなく、どちらか一方の配置でもよい。
【００７４】
図７において、回路基板１０１の網掛け部分は、アンテナ装置７００のグランドであり、この網掛け部分には図示しない無線回路等が実装される。給電部１０２は、回路基板１０１に接続される。第１アンテナ素子１０３は、給電部１０２に接続される。第１フィルタ回路１０４は、第１アンテナ素子１０３に接続される。短絡素子１０５は、第１フィルタ回路１０４および回路基板１０１のグランドに接続される。第１無給電素子５０１は、片側が回路基板１０１のグランドに接続される。
【００７５】
第１無給電素子５０１は、回路基板１０１と垂直方向で第１アンテナ素子１０３の垂直部１０３ａの下方に配置される。ここで、第１無給電素子５０１は、第１アンテナ素子１０３の垂直部１０３ａと非接触状態で配置されている。
【００７６】
次に、本実施の形態５に係るアンテナ装置の周波数ｆ１、周波数ｆ２および周波数ｆ３における動作について説明する。ここで、周波数ｆ１と周波数ｆ２は、周波数ｆ１＜周波数ｆ２の関係にあり、第１フィルタ回路１０４は、周波数ｆ１の電流を通過させ、周波数ｆ２の電流を遮断させる並列共振回路、直列共振回路、またはバンドパスフィルタ等から構成される。周波数ｆ３は、任意の周波数とする。
【００７７】
このアンテナ装置７００において、低周波数帯である周波数ｆ１では、給電部１０２から第１アンテナ素子１０３に給電される。短絡素子１０５は、第１フィルタ回路１０４を介して第１アンテナ素子１０３と電気的に接続され、回路基板１０１に短絡される。このように、低周波数帯である周波数ｆ１においては、逆Ｆ形アンテナとして動作する。高周波数帯である周波数ｆ２では、給電部１０２から第１アンテナ素子１０３に給電される。短絡素子１０５は、第１フィルタ回路１０４によって周波数ｆ２の電流が遮断されるため、第１アンテナ素子１０３と電気的に接続されない。このように、高周波数帯である周波数ｆ２においては、逆Ｌ形アンテナまたはモノポールアンテナとして動作する。周波数ｆ３では、第１無給電素子５０１の共振周波数を適用する。第１無給電素子５０１は、片側が回路基板１０１に短絡されており、この第１無給電素子５０１の素子長に応じた電流が第１無給電素子５０１に誘起される。このように、周波数ｆ３においては、片側が短絡された無給電素子が放射素子として動作する。
【００７８】
なお、上記第１無給電素子５０１は一例であり、無給電素子に所望の周波数の電流が誘起され、アンテナ特性の向上を図ることが可能であれば、その形状、サイズ、給電素子との間隔、配置位置および回路基板への短絡の有無は問わない。
【００７９】
このようにアンテナ装置７００は、周波数ｆ１および周波数ｆ２において、第１アンテナ素子１０３を兼用することにより小型化を図っている。また、第１フィルタ回路１０４を設けることにより、各アンテナ間のアイソレーション特性の確保を行い、マルチバンド化を図っている。周波数ｆ３においては、無給電素子を設けることにより対応している。
【００８０】
上述のように、本実施の形態５に係るアンテナ装置７００によれば、小型化、広帯域化およびマルチバンド化を実現するアンテナ装置を提供することができる。
【００８１】
（実施の形態６）
図８は、本発明実施の形態６に係るアンテナ装置の構成を示す概略斜視図である。本発明実施の形態６は、既に説明した本発明実施の形態１または実施の形態２におけるアンテナ装置にフィルタ回路および無給電素子を追加した点に特徴がある。
【００８２】
図８に示すように、本実施の形態６に係るアンテナ装置８００は、回路基板１０１、給電部１０２、第１アンテナ素子１０３、短絡素子１０５、第２フィルタ回路８０１、第３フィルタ回路８０２、第２無給電素子８０３を備えている。
【００８３】
図８において、回路基板１０１の網掛け部分は、アンテナ装置８００のグランドであり、この網掛け部分には図示しない無線回路等が実装される。給電部１０２は、回路基板１０１に接続される。第１アンテナ素子１０３は、給電部１０２に接続される。第２フィルタ回路８０１は、第１アンテナ素子１０３に接続される。短絡素子１０５は、第２フィルタ回路８０１および回路基板１０１のグランドに接続される。第３フィルタ回路８０２は、短絡素子１０５に接続される。第２無給電素子８０３は、第３フィルタ回路８０２に接続される。
【００８４】
次に、本実施の形態６に係るアンテナ装置の周波数ｆ１、周波数ｆ２および周波数ｆ３における動作について説明する。ここで、周波数ｆ１と周波数ｆ２は、周波数ｆ１＜周波数ｆ２の関係にあり、第２フィルタ回路８０１は、周波数ｆ１の電流を通過させ、周波数ｆ２および周波数ｆ３の電流を遮断させる直列共振回路、またはバンドパスフィルタ等から構成される。周波数ｆ３は、任意の周波数とする。第３フィルタ回路８０２は、周波数ｆ３の電流を通過させ、周波数ｆ１の電流を遮断させる並列共振回路、直列共振回路またはバンドパスフィルタ等から構成される。
【００８５】
このアンテナ装置８００において、低周波数帯である周波数ｆ１では、給電部１０２から第１アンテナ素子１０３に給電される。短絡素子１０５は、第２フィルタ回路８０１を介して第１アンテナ素子１０３と電気的に接続され、回路基板１０１に短絡される。一方、短絡素子１０５は、第３フィルタ回路８０２によって周波数ｆ１の電流が遮断されるため、第２無給電素子８０３とは電気的に接続されない。このため、低周波数帯である周波数ｆ１においては、逆Ｆ形アンテナとして動作する。高周波数帯である周波数ｆ２では、給電部１０２から第１アンテナ素子１０３に給電される。短絡素子１０５は、第２フィルタ回路８０１によって周波数ｆ２の電流が遮断されるため、第１アンテナ素子１０３と電気的に接続されない。このため、高周波数帯である周波数ｆ２においては、逆Ｌ形アンテナまたはモノポールアンテナとして動作する。周波数ｆ３では、第２無給電素子８０３は、第３フィルタ回路８０２を介して短絡素子１０５と電気的に接続され、回路基板１０１に短絡される。短絡素子１０５は、第２フィルタ回路８０１によって周波数ｆ３の電流が遮断されるため、第１アンテナ素子１０３とは電気的に接続されない。このため、周波数ｆ３においては、片側が短絡された無給電素子が放射素子として動作する。
【００８６】
このようにアンテナ装置８００は、周波数ｆ１および周波数ｆ２において第１アンテナ素子１０３を兼用し、周波数ｆ１および周波数ｆ３において短絡素子１０５を兼用することにより小型化を図っている。また、第２フィルタ回路８０１および第３フィルタ回路８０２を設けることにより、各アンテナ間のアイソレーション特性の確保を行い、マルチバンド化を図っている。
【００８７】
上述のように、本実施の形態６に係るアンテナ装置８００によれば、小型化、広帯域化およびマルチバンド化を実現するアンテナ装置を提供することができる。
【００８８】
（実施の形態７）
図９は、本発明実施の形態７に係るアンテナ装置の構成を示す概略斜視図である。本発明実施の形態７は、既に説明した本発明実施の形態１から実施の形態６におけるアンテナ装置にフィルタ回路およびアンテナ素子を追加した点に特徴がある。
【００８９】
図９に示すように、本実施の形態７に係るアンテナ装置９００は、回路基板１０１、給電部１０２、第１アンテナ素子１０３、第１フィルタ回路１０４、短絡素子１０５、第１無給電素子５０１、第４フィルタ回路９０１、第２アンテナ素子９０２を備えている。
【００９０】
第２アンテナ素子９０２は、回路基板１０１と垂直方向に配置される垂直部９０２ａと水平方向で上面部に配置される水平部９０２ｂとにより一体に構成され、断面Ｌ字型に形成されている。ここで、垂直方向に配置される垂直部９０２ａと水平方向で上面部に配置される水平部９０２ｂは、必ずしも必要ではなく、どちらか一方の配置でもよい。また、回路基板１０１と水平方向で下面部に新たな素子部を設け、垂直方向に配置される垂直部９０２ａと水平方向で上面部に配置される水平部９０２ｂと共に一体に構成され、断面コの字型に形成されてもよい。いずれにしても、第２アンテナ素子９０２が外側に配置されているか、図示しない他部品等の金属物からの影響を低減されるような配置位置であれば、その構成は問わない。
【００９１】
次に、本実施の形態７に係るアンテナ装置の周波数ｆ１、周波数ｆ２、周波数ｆ３および周波数ｆ４における動作について説明する。ここで、周波数ｆ１、周波数ｆ２、および周波数ｆ４は、周波数ｆ４＜周波数ｆ１＜周波数ｆ２の関係にあり、第１フィルタ回路１０４は、周波数ｆ１の電流を通過させる直列共振回路またはバンドパスフィルタ等から構成される。第４フィルタ回路９０１は、周波数ｆ４の電流を通過させる直列共振回路またはバンドパスフィルタ等から構成される。周波数ｆ３は、任意の周波数とする。
【００９２】
このアンテナ装置９００において、周波数ｆ４では、給電部１０２から第１アンテナ素子１０３に給電される。第２アンテナ素子９０２は、第４フィルタ回路９０１を介して第１アンテナ素子１０３と電気的に接続される。短絡素子１０５は、第１フィルタ回路１０４によって周波数ｆ４の電流が遮断されるため、第１アンテナ素子１０３と電気的に接続されない。このように、周波数ｆ４においては、逆Ｌ形アンテナまたはモノポールアンテナとして動作する。周波数ｆ１では、給電部１０２から第１アンテナ素子１０３に給電される。短絡素子１０５は、第１フィルタ回路１０４を介して第１アンテナ素子１０３と電気的に接続され、回路基板１０１に短絡される。第２アンテナ素子９０２は、第４フィルタ回路９０１によって周波数ｆ１の電流が遮断されるため、第１アンテナ素子１０３と電気的に接続されない。このように、周波数ｆ１においては、逆Ｆ形アンテナとして動作する。周波数ｆ２では、給電部１０２から第１アンテナ素子１０３に給電される。短絡素子１０５は、第１フィルタ回路１０４によって周波数ｆ２の電流が遮断されるため、第１アンテナ素子１０３と電気的に接続されない。第２アンテナ素子９０２は、第４フィルタ回路９０１によって周波数ｆ２の電流が遮断されるため、第１アンテナ素子１０３と電気的に接続されない。このように、周波数ｆ２においては、逆Ｌ形アンテナまたはモノポールアンテナとして動作する。周波数ｆ３では、第１無給電素子５０１の共振周波数を適用する。第１無給電素子５０１は、片側が回路基板１０１に短絡されており、この第１無給電素子５０１の素子長に応じた電流が第１無給電素子５０１に誘起される。このように、周波数ｆ３においては、片側が短絡された無給電素子が放射素子として動作する。
【００９３】
なお、上記第１無給電素子５０１は一例であり、無給電素子に所望の周波数の電流が誘起され、アンテナ特性の向上を図ることが可能であれば、その形状、サイズ、給電素子との間隔、配置位置および回路基板への短絡の有無は問わない。
【００９４】
このようにアンテナ装置９００は、周波数ｆ１、周波数ｆ２および周波数ｆ４において、第１アンテナ素子１０３を兼用することにより小型化を図っている。また、第１フィルタ回路１０４および第４フィルタ回路９０１を設けることにより、各アンテナ間のアイソレーション特性の確保を行い、マルチバンド化を図っている。周波数ｆ３においては、第１無給電素子５０１を設けることにより対応している。
【００９５】
図１０に一例として、回路基板１０１のグランド部の長手方向の長さＬ１０１を１２０ｍｍ、短手方向の長さＷ１０１を６０ｍｍ、回路基板１０１のグランド部と第１無給電素子５０１の垂直部５０１ａ、短絡素子１０５の垂直部１０５ａ、第１アンテナ素子１０３の垂直部１０３ａおよび第２アンテナ素子９０２の垂直部９０２ａとの距離Ｄ１０１を５ｍｍ、回路基板１０１の端部と第１無給電素子５０１の垂直部５０１ａとの距離Ｄ１０２を５ｍｍ、第１無給電素子５０１の垂直部５０１ａの長さＬ１０２を２ｍｍ、第１無給電素子５０１の垂直部５０１ａと短絡素子１０５の垂直部１０５ａとの距離Ｄ１０３を１ｍｍ、短絡素子１０５の垂直部１０５ａの長さＬ１０３を２ｍｍ、短絡素子１０５と第１アンテナ素子１０３との距離Ｄ１０４を１ｍｍ、第１アンテナ素子１０３の長さＬ１０４を２４．５ｍｍ、第１アンテナ素子１０３と第２アンテナ素子９０２との距離Ｄ１０５を１ｍｍ、第２アンテナ素子９０２の長さＬ１０５を８ｍｍ、第１無給電素子５０１の垂直部５０１ａ、短絡素子１０５の垂直部１０５ａ、第１アンテナ素子１０３の垂直部１０３ａおよび第２アンテナ素子９０２の垂直部９０２ａの長さＷ１０２を５ｍｍ、短絡素子１０５の水平部１０５ｂ、第１アンテナ素子１０３の水平部１０３ｂおよび第２アンテナ素子９０２の水平部９０２ｂの長さＷ１０３を２ｍｍ、第１無給電素子５０１の水平部５０１ｂの長さＷ１０４を４．５ｍｍ、第１無給電素子５０１の水平部５０１ｂの長さＬ１０６を１４ｍｍ、第１アンテナ素子１０３の水平部１０３ｂと第１無給電素子５０１の水平部５０１ｂとの距離Ｄ１０６を０．５ｍｍとしたアンテナ装置１０００を示す。
【００９６】
図１１に、アンテナ装置１０００のインピーダンス特性１１００を示す。ここで、周波数ｆ１は１．５ＧＨｚ帯、周波数ｆ２は１．７ＧＨｚ帯、周波数ｆ３は２ＧＨｚ帯、周波数ｆ４は８００ＭＨｚ帯で共振するようにしてマルチバンド化を図っている。
【００９７】
上述のように、本実施の形態７に係るアンテナ装置９００によれば、小型化、広帯域化およびマルチバンド化を実現するアンテナ装置を提供することができる。
【００９８】
（実施の形態８）
図１２は、本発明実施の形態８に係るアンテナ装置の構成を示す概略斜視図である。本発明実施の形態８は、既に説明した本発明実施の形態７のフィルタ回路をアンテナ素子に変更した点に特徴がある。
【００９９】
図１２に示すように、本実施の形態８に係るアンテナ装置１２００は、回路基板１０１、給電部１０２、第１アンテナ素子１０３、第１フィルタ回路１０４、短絡素子１０５、第１無給電素子５０１、第２アンテナ素子９０２、第３アンテナ素子１２０１を備えている。
【０１００】
図１２において、回路基板１０１の網掛け部分は、アンテナ装置１２００のグランドであり、この網掛け部分には図示しない無線回路等が実装される。給電部１０２は、回路基板１０１に接続される。第１アンテナ素子１０３は、給電部１０２に接続される。第３アンテナ素子１２０１は、第１アンテナ素子１０３に接続される。第２アンテナ素子９０２は、第３アンテナ素子１２０１に接続される。第１フィルタ回路１０４は、第１アンテナ素子１０３に接続される。短絡素子１０５は、第１フィルタ回路１０４および回路基板１０１のグランドに接続される。第１無給電素子５０１は、片側が回路基板１０１のグランドに接続される。
【０１０１】
第３アンテナ素子１２０１は、メアンダ型に形成され、第１アンテナ素子１０３から分岐するように接続されている。メアンダ型素子は、幅方向の物理的寸法を短縮すると共に電気長が確保され、さらに高周波数帯の電流を遮断するという機能を有する。
このため、低周波数帯である周波数ｆ４においては、第１アンテナ素子１０３、第３アンテナ素子１２０１および第２アンテナ素子９０２が放射素子として動作する。なお、高周波数帯の電流を確実に遮断するために、第３アンテナ素子１２０１にインダクタまたはフィルタ回路等を接続しても良い。
【０１０２】
このようにアンテナ装置１２００は、分岐した素子を設けることにより、マルチバンド化を図っている。
【０１０３】
上述のように、本実施の形態８に係るアンテナ装置１２００によれば、小型化、広帯域化およびマルチバンド化を実現するアンテナ装置を提供することができる。
【０１０４】
（実施の形態９）
図１３は、本発明実施の形態９に係るアンテナ装置の構成を示す概略斜視図である。本発明実施の形態９は、既に説明した本発明実施の形態７から実施の形態８におけるアンテナ素子を変形した点に特徴がある。
【０１０５】
図１３に示すように、本実施の形態９に係るアンテナ装置１３００は、回路基板１０１、給電部１０２、第１アンテナ素子１０３、第１フィルタ回路１０４、短絡素子１０５、第１無給電素子５０１、第４フィルタ回路９０１、第２アンテナ素子９０２を備えている。
【０１０６】
第２アンテナ素子９０２の回路基板１０１と垂直方向に配置される垂直部９０２ａは、コの字型の折り返し構造に形成され、幅方向の物理的寸法を短縮すると共に電気長が確保できる構成としている。なお、第２アンテナ素子９０２の一例として、コの字型の折り返し構造を挙げたが、幅方向の物理的寸法の短縮を図るためにメアンダ状等に形成してもよい。いずれにしても、第２アンテナ素子９０２の幅方向の物理的が短縮できるように形成されていれば、その構成は問わない。
【０１０７】
このようにアンテナ装置１３００は、アンテナ素子を変形することにより、アンテナ装置９００およびアンテナ装置１２００よりも小型化を図っている。
【０１０８】
上述のように、本実施の形態９に係るアンテナ装置１３００によれば、小型化、広帯域化およびマルチバンド化を実現するアンテナ装置を提供することができる。
【０１０９】
（実施の形態１０）
図１４は、本発明実施の形態１０に係るアンテナ装置の構成を示す概略斜視図である。本発明実施の形態１０は、既に説明した本発明実施の形態７から実施の形態８におけるアンテナ素子を変形した点に特徴がある。
【０１１０】
図１４に示すように、本実施の形態１０に係るアンテナ装置１４００は、回路基板１０１、給電部１０２、第１アンテナ素子１０３、第１フィルタ回路１０４、短絡素子１０５、第１無給電素子５０１、第４フィルタ回路９０１、第２アンテナ素子９０２を備えている。
【０１１１】
第２アンテナ素子９０２の回路基板１０１と垂直方向に配置される垂直部９０２ａおよび水平方向で上面部に配置される水平部９０２ｂは、コの字型の折り返し構造として形成し分岐されている。
【０１１２】
低周波数帯である周波数ｆ４においては、第１アンテナ素子１０３、第４フィルタ回路９０１および第２アンテナ素子９０２が放射素子として動作する。ここで、第２アンテナ素子９０２は分岐されることにより、周波数ｆ４の動作周波数が広げられている。なお、第２アンテナ素子９０２の一例として、コの字型の折り返し構造の２分岐型を挙げたが、分岐されるように形成されていれば、その構成は問わない。
【０１１３】
このようにアンテナ装置１４００は、アンテナ素子を分岐型とすることにより、アンテナ装置９００およびアンテナ装置１２００よりも広帯域化を図っている。
【０１１４】
上述のように、本実施の形態１０に係るアンテナ装置１４００によれば、小型化、広帯域化およびマルチバンド化を実現するアンテナ装置を提供することができる。
【０１１５】
（実施の形態１１）
図１５は、本発明実施の形態１１に係るアンテナ装置の構成を示す概略斜視図である。本発明実施の形態１１は、既に説明した本発明実施の形態７から実施の形態１０におけるフィルタ回路およびアンテナ素子を空芯コイルに変更した点に特徴がある。
【０１１６】
図１５に示すように、本実施の形態１１に係るアンテナ装置１５００は、回路基板１０１、給電部１０２、第１アンテナ素子１０３、第１フィルタ回路１０４、短絡素子１０５、第１無給電素子５０１、空芯コイル１５０１を備えている。
【０１１７】
図１５において、回路基板１０１の網掛け部分は、アンテナ装置１５００のグランドであり、この網掛け部分には図示しない無線回路等が実装される。給電部１０２は、回路基板１０１に接続される。第１アンテナ素子１０３は、給電部１０２に接続される。空芯コイル１５０１は、第１アンテナ素子１０３に接続される。第１フィルタ回路１０４は、第１アンテナ素子１０３に接続される。短絡素子１０５は、第１フィルタ回路１０４および回路基板１０１のグランドに接続される。第１無給電素子５０１は、片側が回路基板１０１のグランドに接続される。
【０１１８】
空芯コイル１５０１は、高い周波数帯の電流を遮断すると共に、低い周波数帯の電気長を確保するという機能を有する。このため、低周波数帯である周波数ｆ４においては、第１アンテナ素子１０３、空芯コイル１５０１が放射素子として動作する。なお、高周波数帯の電流を確実に遮断するために、空芯コイル１５０１の前段にインダクタまたはフィルタ回路等を配置しても良い。
【０１１９】
このようにアンテナ装置１５００は、空芯コイルを設けることによりマルチバンド化を図っている。
【０１２０】
上述のように、本実施の形態１１に係るアンテナ装置１５００によれば、小型化、広帯域化およびマルチバンド化を実現するアンテナ装置を提供することができる。
【０１２１】
（実施の形態１２）
図１６は、本発明実施の形態１２に係るアンテナ装置の構成を示す概略斜視図である。本発明実施の形態１２は、既に説明した本発明実施の形態１１の空芯コイルをプリントコイルに変更した点に特徴がある。
【０１２２】
図１６に示すように、本実施の形態１２に係るアンテナ装置１６００は、回路基板１０１、給電部１０２、第１アンテナ素子１０３、第１フィルタ回路１０４、短絡素子１０５、第１無給電素子５０１、プリントコイル１６０１を備えている。
プリントコイル１６０１は、空芯コイル１５０１と同様の機能を有し、さらに、フレキシブル基板等で容易に第１アンテナ素子１０３と一体成型することが可能である。
【０１２３】
このようにアンテナ装置１６００は、プリントコイルを設けることによりマルチバンド化を図っている。
【０１２４】
上述のように、本実施の形態１２に係るアンテナ装置１６００によれば、小型化、広帯域化およびマルチバンド化を実現するアンテナ装置を提供することができる。
【０１２５】
（実施の形態１３）
図１７は、本発明実施の形態１３に係るアンテナ装置の構成を示す概略斜視図である。本発明実施の形態１３は、既に説明した本発明実施の形態７から実施の形態１２におけるアンテナ装置にフィルタ回路および無給電素子を追加した点に特徴がある。
【０１２６】
図１７に示すように、本実施の形態１３に係るアンテナ装置１７００は、回路基板１０１、給電部１０２、第１アンテナ素子１０３、第１フィルタ回路１０４、短絡素子１０５、第１無給電素子５０１、第４フィルタ回路９０１、第２アンテナ素子９０２、第５フィルタ回路１７０１、第３無給電素子１７０２を備えている。
【０１２７】
第５フィルタ回路１７０１は、第１無給電素子５０１に接続される。第３無給電素子１７０２は、第５フィルタ回路１７０１に接続される。
【０１２８】
第５フィルタ回路１７０１は、周波数ｆ５の電流を通過させる直列共振回路、またはバンドパスフィルタ等から構成される。
【０１２９】
周波数ｆ５では、第１無給電素子５０１と第５フィルタ回路１７０１および第３無給電素子１７０２の共振周波数を適用する。第１無給電素子５０１は、片側が回路基板１０１に短絡されており、この第１無給電素子５０１と第５フィルタ回路１７０１および第３無給電素子１７０２の素子長に応じた電流が誘起される。
【０１３０】
このように、アンテナ装置１７００は、無給電素子にフィルタ回路を介挿することによりマルチバンド化を図っている。
【０１３１】
上述のように、本実施の形態１３に係るアンテナ装置１７００によれば、小型化、広帯域化およびマルチバンド化を実現するアンテナ装置を提供することができる。
【産業上の利用可能性】
【０１３２】
本発明に係るアンテナ装置は、簡単な構造で小型化、広帯域化およびマルチバンド化を図ることができるため、携帯型無線端末におけるアンテナ装置として有用である。
【符号の説明】
【０１３３】
１００，２００，４００，５００，６００，７００，８００，９００，１０００，１２００，１３００，１４００，１５００，１６００，１７００    アンテナ装置
１０１    回路基板
１０２    給電部
１０３    第１アンテナ素子
１０４    第１フィルタ回路
１０５    短絡素子
３００，１１００    インピーダンス特性
５０１    第１無給電素子
８０１    第２フィルタ回路
８０２    第３フィルタ回路
８０３    第２無給電素子
９０１    第４フィルタ回路
９０２    第２アンテナ素子
１２０１    第３アンテナ素子
１５０１    空芯コイル
１６０１    プリントコイル
１７０１    第５フィルタ回路
１７０２    第３無給電素子
【図１】
2013110462.tif 000003
【図２】
2013110462.tif 000004
【図３】
2013110462.tif 000005
【図４】
2013110462.tif 000006
【図５】
2013110462.tif 000007
【図６】
2013110462.tif 000008
【図７】
2013110462.tif 000009
【図８】
2013110462.tif 000010
【図９】
2013110462.tif 000011
【図１０】
2013110462.tif 000012
【図１１】
2013110462.tif 000013
【図１２】
2013110462.tif 000014
【図１３】
2013110462.tif 000015
【図１４】
2013110462.tif 000016
【図１５】
2013110462.tif 000017
【図１６】
2013110462.tif 000018
【図１７】
2013110462.tif 000019